(57)【要約】【課題】ピアノ本体の良好な外観を維持しながら、開放された大屋根による照明の反射を確実に防止することができるグランドピアノの大屋根用反射防止具を提供する。【解決手段】大屋根後１１及び大屋根前１２で構成される開閉自在の大屋根３に装着され、大屋根３が傾斜した姿勢に開放された状態において、上方からの照明が大屋根３によって反射するのを防止するためのグランドピアノ１の大屋根用反射防止具２１であって、大屋根後１１及びその上に折り畳まれた大屋根前１２に対し、それらの上面全体を覆った状態に装着される反射防止具本体１５と、この反射防止具本体１５を、開放時における傾斜した姿勢の大屋根３から脱落しないように保持する保持手段１５ａ及び１６と、を備えている。【選択図】図１
2019211733.tif 000002
【特許請求の範囲】
【請求項１】
大屋根後及び大屋根前で構成される開閉自在の大屋根に装着され、当該大屋根が傾斜した姿勢に開放された状態において、上方からの照明が当該大屋根によって反射するのを防止するためのグランドピアノの大屋根用反射防止具であって、
前記大屋根後及びその上に折り畳まれた前記大屋根前に対し、それらの上面全体を覆った状態に装着される反射防止具本体と、
この反射防止具本体を、開放時における傾斜した姿勢の前記大屋根から脱落しないように保持する保持手段と、
を備えていることを特徴とするグランドピアノの大屋根用反射防止具。
【請求項２】
前記反射防止具本体は、前記大屋根に着脱自在に構成されていることを特徴とする請求項１に記載のグランドピアノの大屋根用反射防止具。
【請求項３】
前記反射防止具本体は、
前記大屋根後の上面を覆う大屋根後用カバー部と、
この大屋根後用カバー部と一体に構成され、前記大屋根後上に折り畳まれた前記大屋根前の上面を覆う大屋根前用カバー部と、
を有していることを特徴とする請求項１又は２に記載のグランドピアノの大屋根用反射防止具。
【請求項４】
前記大屋根後用カバー部は、前記大屋根後の上面とほぼ同様の形状を有し、
前記大屋根前用カバー部は、前記大屋根前の上面とほぼ同様の形状を有し、前記大屋根後用カバー部の右前端部に連なりかつ右方に延びるように形成されていることを特徴とする請求項３に記載のグランドピアノの大屋根用反射防止具。
【請求項５】
前記保持手段は、前記反射防止具本体の外周部に、これに沿って延びるように設けられ、当該外周部を、前記大屋根後及び／又は前記大屋根前の下面側に回り込んだ状態に保持する保持部材を有していることを特徴とする請求項１から４のいずれかに記載のグランドピアノの大屋根用反射防止具。
【請求項６】
前記保持手段は、前記反射防止具本体の所定部位に取り付けられ、前記大屋根後の下面に上方から回り込んだ状態で、当該大屋根後の下面に設けられた係止部に掛け止めされる掛止め部材を有していることを特徴とする請求項１から５のいずれかに記載のグランドピアノの大屋根用反射防止具。
【請求項７】
前記保持手段は、粘着性を有するとともに、前記反射防止具本体及び前記大屋根の一方に設けられ、当該反射防止具本体を前記大屋根後及び／又は前記大屋根前の上面に張り付けた状態に保持する粘着部材を有していることを特徴とする請求項１から６のいずれかに記載のグランドピアノの大屋根用反射防止具。
【発明の詳細な説明】
【技術分野】
【０００１】
本発明は、オーケストラをバックにピアノ協奏曲を演奏する際などに使用され、開放されたグランドピアノの大屋根による照明の反射を防止するためのグランドピアノの大屋根用反射防止具に関する。
【背景技術】
【０００２】
一般的なグランドピアノでは、その外周面が黒色で塗装され、艶出し加工が施されている。具体的には、鍵盤蓋、側板及び大屋根など、外部から見える部分の大部分が艶出し加工されている。特に、グランドピアノの天板である大屋根については、開放した際に、下面も外部から見えるため、大屋根の上面に加えて下面にも、艶出し加工が施されている。また、大屋根は一般に、所定形状を有する大屋根後と、この大屋根後の前側にヒンジを介して連結され、横長矩形状を有する大屋根前とで構成されている。大屋根を開放する際には、大屋根前を後方に折り返して大屋根後上に載置し、その大屋根後を、大屋根前と一体に、低音側（左側）のヒンジを中心として上方に回動させ、下方から大屋根突揚棒によって支持する。
【０００３】
上記のように、大屋根の上面及び下面が艶出し加工されたグランドピアノを、オーケストラをバックにピアノ協奏曲を演奏するコンサートなどに使用する場合、そのピアノは、ステージの中央前部に設置され、大屋根がステージの後方に回動し、約４５度傾斜した状態に開放される。また、上記の演奏時には、ピアノの直ぐ後ろ側に指揮者が立ち、ステージの天井に設置されている照明装置により、ステージ全体が上方から明るく照らされる。このような状態で演奏が行われる場合、指揮者を見るオーケストラの奏者にとって、ピアノの大屋根で反射した照明が目に入り、非常にまぶしく感じることがあり、それにより、指揮者を十分に見ることができないことで、演奏に支障が生じるおそれがある。
【０００４】
上記のような問題を回避するために、大屋根の上面に艶消し加工を施すことが行われている。しかし、この場合には、１台のピアノにおいて、鍵盤蓋や側板などの艶出し加工が施された部分と、艶消し加工が施された大屋根が混在し、ピアノの美観が損なわれてしまう。また、大屋根の上面にスプレーによって艶消し塗料を塗布することも行われている。しかし、この場合には、比較的大きな大屋根の全体に、艶消し塗料を、ムラ無く、均一に塗布しなければならず、その作業が煩雑で手間もかかってしまう。
【０００５】
さらに、前述した問題を回避するために、例えば特許文献１に開示されたグランドピアノ用カバーを使用することが考えられる。このグランドピアノ用カバーは、化学繊維の生地から成り、グランドピアノのピアノ本体の全体を覆うサイズを有している。また、このカバーは、３つのカバーで構成されており、具体的には、大屋根後を覆う屋根板カバー、大屋根前及び鍵盤蓋を覆う前カバー、及び側板を覆う側板カバーで構成されている。屋根板カバーは、大屋根後の上面全体を覆うとともに、左右及び後側の外周部が大屋根後のそれよりも外方に広がった状態に形成されている。また、前カバーは、その後端部に設けられた面ファスナーを介して、屋根板カバーの前端部に着脱自在に取り付けられている。
【先行技術文献】
【特許文献】
【０００６】
【特許文献１】実開昭５７−１９５１８８号公報
【発明の概要】
【発明が解決しようとする課題】
【０００７】
上記のグランドピアノ用カバーでは、大屋根を開放する場合、前カバーが屋根板カバーから取り外され、大屋根上に屋根板カバーのみが載置された状態になる。このため、大屋根前が大屋根後の上に折り畳まれた状態で大屋根が開放されると、大屋根前が何ら覆われていないため、その大屋根前による前述した照明の反射問題が解消されない。また、屋根板カバーは、その左右及び後側の外周部が大屋根後のそれよりも外方に大きく広がっているため、大屋根が開放された状態では、屋根板カバーの右側（開放されたときの上側）の外周部が大屋根後の周縁部から垂れ下がり、その部分が観客席側から見えるため、ピアノ本体の見栄えが悪化してしまう。
【０００８】
本発明は、以上のような課題を解決するためになされたものであり、ピアノ本体の良好な外観を維持しながら、開放された大屋根による照明の反射を確実に防止することができるグランドピアノの大屋根用反射防止具を提供することを目的とする。
【課題を解決するための手段】
【０００９】
上記の目的を達成するために、請求項１に係る発明は、大屋根後及び大屋根前で構成される開閉自在の大屋根に装着され、大屋根が傾斜した姿勢に開放された状態において、上方からの照明が大屋根によって反射するのを防止するためのグランドピアノの大屋根用反射防止具であって、大屋根後及びその上に折り畳まれた大屋根前に対し、それらの上面全体を覆った状態に装着される反射防止具本体と、この反射防止具本体を、開放時における傾斜した姿勢の大屋根から脱落しないように保持する保持手段と、を備えていることを特徴とする。
【００１０】
グランドピアノの大屋根は一般に、低音側の奥行き寸法が長く、高音側の奥行き寸法が短い所定形状の大屋根後と、その前端部に折り畳み可能に連結された横長矩形状の大屋根前とで構成されている。また、大屋根を開放する場合、大屋根前を後方に回動し、大屋根後上に折り畳んだ状態で、高音側が持ち上げられ、低音側に前下がりに傾斜した状態で突揚棒によって支持される。これにより、大屋根は、演奏者側から見て、左下がりに傾斜した姿勢に開放される。このような大屋根に装着される本発明の大屋根用反射防止具では、反射防止具本体が、大屋根後及びその上に折り畳まれた大屋根前に対し、それらの上面全体を覆った状態に装着される。また、大屋根に装着された反射防止具本体は、保持手段により、開放時における傾斜した姿勢の大屋根から脱落しないように保持される。
【００１１】
前述したように、上記のグランドピアノが、オーケストラをバックにピアノ協奏曲を演奏するコンサートに使用される場合、大屋根がステージの後方に回動し、約４５度傾斜した状態に開放される。この場合、ステージの天井に設置されている照明装置によって、ステージ全体が明るく照らされても、大屋根に上記の大屋根用反射防止具が装着されることによって、大屋根後及びその上に折り畳まれた大屋根前の上面全体が覆われるので、大屋根で照明が反射するのを確実に防止でき、それにより、オーケストラの奏者がまぶしく感じることがなく、良好な環境で演奏することができる。また、傾斜した姿勢の大屋根から反射防止具本体が脱落しないように保持する保持手段として、観客席側からほとんど見えず、必要最小限のもので構成することにより、ピアノ本体の良好な外観を維持することができる。以上のように、本発明によれば、ピアノ本体の良好な外観を維持しながら、開放された大屋根による照明の反射を確実に防止することができる。
【００１２】
請求項２に係る発明は、請求項１に記載のグランドピアノの大屋根用反射防止具において、反射防止具本体は、大屋根に着脱自在に構成されていることを特徴とする。
【００１３】
この構成によれば、反射防止具本体が大屋根に着脱自在であるので、例えば大屋根用反射防止具がコンサートホールに備えられている場合において、前述したように、グランドピアノが、オーケストラをバックにピアノ協奏曲を演奏するコンサートに使用されるときには、大屋根用反射防止具を大屋根に装着する一方、グランドピアノがソロ演奏のコンサートに使用されるときには、大屋根用反射防止具を大屋根から取り外しておくことで、ピアノの美観を確保しながら、コンサートを行うことができる。このように、大屋根用反射防止具を、必要に応じて、グランドピアノに取り付けたり、取り外したりすることができる。
【００１４】
また、例えば、反射防止具本体が布などのシート状の材料で構成され、比較的小さく折り畳み可能であれば、調律師が、大屋根用反射防止具を携帯し、自身が調律したグランドピアノに対し、必要に応じて、大屋根用反射防止具を取り付けることができる。
【００１５】
請求項３に係る発明は、請求項１又は２に記載のグランドピアノの大屋根用反射防止具において、反射防止具本体は、大屋根後の上面を覆う大屋根後用カバー部と、この大屋根後用カバー部と一体に構成され、大屋根後上に折り畳まれた大屋根前の上面を覆う大屋根前用カバー部と、を有していることを特徴とする。
【００１６】
この構成によれば、反射防止具本体の大屋根後用カバー部が大屋根後の上面を覆う一方、大屋根前用カバー部が大屋根後上に折り畳まれた大屋根前の上面を覆い、両カバー部が一体に構成されている。このように、上記の大屋根後用カバー部及び大屋根前用カバー部を有する単一の反射防止具本体によって、大屋根後及びその上に折り畳まれた大屋根前の上面全体を容易に覆うことができる。
【００１７】
請求項４に係る発明は、請求項３に記載のグランドピアノの大屋根用反射防止具において、大屋根後用カバー部は、大屋根後の上面とほぼ同様の形状を有し、大屋根前用カバー部は、大屋根前の上面とほぼ同様の形状を有し、大屋根後用カバー部の右前端部に連なりかつ右方に延びるように形成されていることを特徴とする。
【００１８】
この構成によれば、大屋根後用カバー部の右前端部に、大屋根前用カバー部が連なり、右方に延びている。例えば、シート状の材料から成る反射防止具本体を大屋根に装着する場合、まず、大屋根後用カバー部を大屋根後上に重ね合わせるように載置する。次いで、大屋根前を、後方に回動させて折り畳み、大屋根後用カバー部上に載置する。そして、大屋根前用カバー部を左方に折り畳み、折り畳まれている大屋根前上に載置する。これにより、大屋根の大屋根後及び大屋根前の上面がそれぞれ、反射防止具本体の大屋根後用カバー部及び大屋根前用カバー部によって覆われる。また、この場合、大屋根が開放された状態において、大屋根後用カバー部と大屋根前用カバー部の連接部分が、大屋根前の右端部を上下に回り込んだ状態になる。これにより、反射防止具本体が左方に滑り落ちるのを防止することができる。
【００１９】
請求項５に係る発明は、請求項１から４のいずれかに記載のグランドピアノの大屋根用反射防止具において、保持手段は、反射防止具本体の外周部に、これに沿って延びるように設けられ、外周部を、大屋根後及び／又は大屋根前の下面側に回り込んだ状態に保持する保持部材を有していることを特徴とする。
【００２０】
この構成によれば、反射防止具本体の外周部が、大屋根後及び／又は大屋根前の下面側に回り込んだ状態で、保持部材によって保持される。この保持部材は、反射防止具本体の外周部に、これに沿って延びるように設けられており、例えば、反射防止具本体を布などのシート状の材料でカバー状に構成するとともに、上記の保持部材をゴムなどの伸縮材料で構成する場合には、反射防止具本体を大屋根に上方から被せるだけで、反射防止具本体の外周部を大屋根の下面側に容易に回り込んだ状態にすることができる。また、上記の保持部材を粘着テープなどの粘着材料で構成する場合には、その粘着材料を介して、反射防止具本体の外周部を大屋根の下面縁部に接着させる。以上により、反射防止具本体を、大屋根にしっかりと装着することができる。
【００２１】
請求項６に係る発明は、請求項１から５のいずれかに記載のグランドピアノの大屋根用反射防止具において、保持手段は、反射防止具本体の所定部位に取り付けられ、大屋根後の下面に上方から回り込んだ状態で、大屋根後の下面に設けられた係止部に掛け止めされる掛止め部材を有していることを特徴とする。
【００２２】
この構成によれば、反射防止具本体の所定部位に取り付けられた掛止め部材が、大屋根後の下面に上方から回り込んだ状態で、大屋根後の下面の係止部に掛け止めされる。これにより、大屋根が開放された状態において、反射防止具本体を掛止め部材によって支持でき、反射防止具本体が大屋根から脱落するのを阻止することができる。また、掛止め部材を、大屋根後の高音側において内側に凹んだ部分（以下「湾曲部」という）に対応する、反射防止具本体の部位に取り付け、大屋根後の下面の係止部に掛け止めすることにより、反射防止具本体を、大屋根後の湾曲部において外方に広がるのを防止するとともに、その湾曲部にぴったりと沿った状態に装着することができる。
【００２３】
請求項７に係る発明は、請求項１から６のいずれかに記載のグランドピアノの大屋根用反射防止具において、保持手段は、粘着性を有するとともに、反射防止具本体及び大屋根の一方に設けられ、反射防止具本体を大屋根後及び／又は大屋根前の上面に張り付けた状態に保持する粘着部材を有していることを特徴とする。
【００２４】
この構成によれば、粘着性を有する粘着部材が、反射防止具本体及び大屋根の一方に設けられているので、その粘着部材を介して、反射防止具本体を、大屋根後及び／又は大屋根前の上面に容易に張り付けることができ、加えて、反射防止具本体が不要になったときには、その反射防止具本体を大屋根から容易に取り外すことができる。また、反射防止具本体の平面形状を、大屋根前が大屋根後上に折り畳まれた状態の大屋根の上面全体とほぼ同じ形状に形成することにより、反射防止具本体を上記大屋根の上面にぴったりと張り付けることができる。この場合には、反射防止具本体を観客席側から全く見えなくすることができる。
【図面の簡単な説明】
【００２５】
【図１】本発明の第１実施形態によるグランドピアノの大屋根用反射防止具を説明するための図であり、（ａ）は、大屋根が閉鎖された状態のグランドピアノの斜視図、（ｂ）は、大屋根用反射防止具が大屋根に装着されたグランドピアノにおいて、大屋根が開放された状態を示す斜視図である。
【図２】（ａ）は、大屋根の平面図、（ｂ）は、大屋根の側面図である。
【図３】第１実施形態の大屋根用反射防止具を示す平面図であり、（ａ）は、反射防止具本体がカバー状に形成された大屋根全体用カバー、（ｂ）は、反射防止具本体がシート状に形成された大屋根全体用シートを示す。
【図４】開放された大屋根による照明の反射を説明するためのグランドピアノの正面図であり、（ａ）は、大屋根用反射防止具が装着されていない状態、（ｂ）は、大屋根用反射防止具が装着されている状態を示す。
【図５】本発明の第２実施形態による大屋根用反射防止具が大屋根に装着されたグランドピアノにおいて、大屋根が開放された状態を示す斜視図である。
【図６】第２実施形態の大屋根用反射防止具を示す平面図であり、（ａ）は大屋根後用カバー、（ｂ）は大屋根前用カバーを示す。
【図７】本発明の第３実施形態による大屋根用反射防止具が大屋根に装着されたグランドピアノにおいて、大屋根が開放された状態を示す斜視図である。
【図８】第３実施形態の大屋根用反射防止具を示す平面図である。
【図９】第３実施形態の大屋根用反射防止具の装着手順を説明するための説明図である。
【発明を実施するための形態】
【００２６】
以下、図面を参照しながら、本発明の好ましい実施形態を詳細に説明する。図１（ａ）は、本発明の第１実施形態による大屋根用反射防止具が装着されるグランドピアノを示しており、同図（ｂ）は、大屋根に大屋根用反射防止具を装着し、その大屋根が開放された状態のグランドピアノを示している。同図（ａ）及び（ｂ）に示すように、このグランドピアノ１は、３本の脚部１ａで下方から支持されたピアノ本体２と、その上面を開閉する大屋根３とを備えている。なお、以下の説明では、グランドピアノ１を演奏する演奏者側から見たときの手前側を「前」、奥側を「後」、低音側である左側を「左」、高音側である右側を「右」として説明するものとする。
【００２７】
ピアノ本体２の前部には、各々が前後方向に延び、多数の白鍵及び黒鍵が左右方向に並設された鍵盤４が設けられ、その鍵盤４の上側に、開閉自在の鍵盤蓋５が設けられている。また、ピアノ本体２の後部には、所定形状の金属製のフレーム６が設けられ、そのフレーム６の側方を囲うように、側板７が配置されている。なお、図示しないが、フレーム６には、多数の弦が前後方向に延びるように張設され、またフレーム６の下側に、各鍵に対応し、鍵の押鍵に伴って打弦する多数のアクションが左右方向に並設されている。
【００２８】
側板７は、所定の厚さ及び高さを有しており、前述したように、フレーム６の左右及び後側の側方を連続して囲うように配置されている。また、側板７の左部には、複数の屋根角蝶番８を介して、大屋根３が前後方向に延びる水平軸線を中心として回動自在に取り付けられている。さらに、側板７の右内面には、所定長さを有する大屋根突揚棒９の基端部が、図示しない金具を介して上下方向に回動自在に支持されており、この大屋根突揚棒９により、大屋根３が開放した状態に支持される。
【００２９】
図２（ａ）及び（ｂ）はそれぞれ、大屋根３の平面形状及び側面形状を示している。図２（ａ）及び前記図１に示すように、大屋根３は、側板７の平面形状とほぼ同様の外形を有し、低音側（図２（ａ）の左側）の奥行き寸法が長く、高音側（図２（ａ）の右側）の奥行き寸法が短い所定形状の大屋根後１１と、横長矩形状に形成され、大屋根後１１の前側にヒンジ（図示せず）を介して、後方に折り畳み可能に連結された大屋根前１２とで構成されている。また、大屋根前１２の下面前端部には、左右方向に延びる上口棒１２ａが突設されている。
【００３０】
大屋根３を開放する場合には、まず、大屋根前１２を後方に回動させ、大屋根後１１上に折り畳む（図２の２点鎖線で示す状態）。なおこの場合、大屋根前１２の上面の大部分が、大屋根後１１に重なる一方、大屋根前１２の上面の右前部が大屋根後１１に重ならず、外部に露出した状態になる。次いで、大屋根後１１の右端部を持ち上げ、その下面の所定位置に設けられた受皿部１１ａに、大屋根突揚棒９の先端部を係合させる。これにより、大屋根３は、左下がりに約４５度傾斜した姿勢で開放される（図１（ｂ）参照）。
【００３１】
以上のように構成されたグランドピアノ１では、その外表面の大部分が黒色で塗装されかつ艶出し加工が施されている。また、大屋根３では、閉鎖時の上面に加えて下面も、黒色でかつ艶出し加工が施されている。このグランドピアノ１を、オーケストラをバックにピアノ協奏曲を演奏するコンサートにおいて使用する場合、前述したように、ステージの中央前部に設置され、大屋根３がステージの後方に回動し、約４５度傾斜した状態に開放される。そしてこの場合、大屋根３による前述した照明の反射を防止するために、大屋根３に大屋根用反射防止具１４が装着される。
【００３２】
本実施形態の大屋根用反射防止具１４は、大屋根前１２が大屋根後１１上に折り畳まれた状態の大屋根３の上面全体を、単一のシート状の材料で覆うものである。図３（ａ）は、大屋根用反射防止具１４の反射防止具本体としての大屋根全体用カバー１５を示している。この大屋根全体用カバー１５は、所定材料（例えばポリエステル）の布から成り、黒色の色彩を有している。なお、以下の説明では、大屋根全体用カバー１５を適宜、「全体カバー１５」というものとする。
【００３３】
全体カバー１５は、上記大屋根３の上面とほぼ同じ形状を有し、その大屋根３の外周部において下面側に若干回り込めるサイズを有している。また、全体カバー１５の外周部には、その外周部に沿って連続的に延び、伸縮自在の保持ゴム１５ａ（保持手段、保持部材）が設けられている。これにより、大屋根３に装着された全体カバー１５は、その外周部が、保持ゴム１５ａによって、大屋根３の下面側に回り込んだ状態に保持され、したがって、大屋根３が左下がりに傾斜した姿勢に開放された場合でも、大屋根３から脱落することはない。
【００３４】
また、全体カバー１５には、大屋根３の後述する係止部１３に掛け止めされる掛止め部材１６（保持手段）が設けられている。この掛止め部材１６は、所定長さを有するひも状のものであり、全体カバー１５の外周部の所定位置、具体的には、大屋根後１１の高音側において内側に凹んだ湾曲部１１ｂに対応する部位に取り付けられている。そして、掛止め部材１６は、大屋根後１１の裏面側に回り込み、大屋根後１１の裏面の所定位置に設けられている係止部１３に掛け止めされる。これにより、全体カバー１５は、大屋根後１１の湾曲部１１ｂにおいて、図３（ａ）の１点鎖線Ｐで示すように広がるのを防止されるとともに、大屋根後１１の湾曲部１１ｂ、及び折り畳まれた大屋根前１２の右後端部にぴったりと沿った状態に装着される。このように、全体カバー１５は、上記の保持ゴム１５ａに加えて、掛止め部材１６により、大屋根３からの脱落が防止される。なお、上記の係止部１３は、新規に設置する他、大屋根３が搬送中に誤って開放されるのを防止するための既存のロック機構の大屋根掛金を利用することができる。
【００３５】
一方、図３（ｂ）は、上述した大屋根用反射防止具１４の変形例としての大屋根用反射防止具１７を示している。この大屋根用反射防止具１７は、上記大屋根用反射防止具１４と同様、大屋根前１２が大屋根後１１上に折り畳まれた状態の大屋根３の上面全体を、単一のシート状の材料で覆うものであり、反射防止具本体として、大屋根全体用シート１８を備えている。この大屋根全体用シート１８は、所定材料（例えばポリエステル、フェルト）の布や、薄板状のパネル、合成樹脂製のフィルムなどから成り、黒色の色彩を有している。なお、以下の説明では、大屋根全体用シート１８を適宜、「全体シート１８」というものとする。
【００３６】
全体シート１８は、上記大屋根３の上面とほぼ同じ形状及びサイズを有している。また、全体シート１８の外周部には、大屋根３の上面との間に、複数の粘着テープ１８ａ（保持手段、粘着部材）が設けられている。各粘着テープ１８ａは、両面テープなどで構成され、図３（ｂ）に示すように、全体シート１８の裏面の外周部に、これに沿って延びるように適宜、接着されている。これにより、大屋根３に装着された全体シート１８は、その外周部が、複数（図３（ｂ）では９枚）の粘着テープ１８ａを介して、大屋根３の上面に張り付けられた状態に保持される。
【００３７】
なお、上記の粘着テープ１８ａは、全体シート１８の裏面及び大屋根３の上面の一方にあらかじめ取り付けられる。したがって、全体シート１８を大屋根３に装着する場合、全体シート１８を大屋根３上に載置して位置決めした後、各粘着テープ１８ａの剥離紙をはがし、その粘着テープ１８ａを介して、全体シート１８を大屋根３に張り付ける。
【００３８】
ここで、図４を参照して、グランドピアノ１を、オーケストラをバックにピアノ協奏曲を演奏するコンサートにおいて使用する際の大屋根３による照明の反射について説明する。図４（ａ）は、上述した大屋根用反射防止具１４、１７が大屋根３に装着されていない状態のグランドピアノ１を示している。図４（ａ）に示すように、グランドピアノ１の上方からの照明（白抜き矢印で図示）は、大屋根３の上面、より具体的には、大屋根後１１の上面、及びその上に折り畳まれた大屋根前１２の上面において反射し、その反射光（黒矢印で図示）がオーケストラ側を照射する。この場合には、オーケストラの奏者にとって、反射光が目に入り、非常にまぶしく感じ、演奏に支障が生じるおそれがある。
【００３９】
これに対し、図４（ｂ）は、大屋根３に大屋根用反射防止具１４（全体カバー１５）を装着した状態を示している。同図に示すように、この場合、グランドピアノ１の上方からの照明は、大屋根３に装着されている大屋根用反射防止具１４で反射することはなく、したがって、大屋根用反射防止具１４が装着されていない場合（図４（ａ））と異なり、照明による反射光がオーケストラ側を照射することはない。
【００４０】
以上にように、本実施形態の大屋根用反射防止具１４、１７によれば、グランドピアノ１が、オーケストラをバックにピアノ協奏曲を演奏するコンサートに使用される場合、大屋根３に、全体カバー１５又は全体シート１８を装着する。これにより、ステージの天井に設置されている照明装置によって、ステージ全体が明るく照らされても、大屋根３に上記の全体カバー１５又は全体シート１８が装着されているので、大屋根３で照明が反射するのを確実に防止でき、それにより、オーケストラの奏者がまぶしく感じることがなく、良好な環境で演奏することができる。
【００４１】
また、全体カバー１５及び全体シート１８はいずれも、大屋根３に対して着脱自在であるので、例えば大屋根用反射防止具１４、１７がコンサートホールに備えられている場合において、その大屋根用反射防止具１４、１７を、必要に応じて、グランドピアノ１に取り付けたり、取り外したりすることができる。加えて、例えば調律師が、大屋根用反射防止具１４、１７を携帯する場合には、自身が調律したグランドピアノに対し、必要に応じて、大屋根用反射防止具１４、１７を取り付けることができる。
【００４２】
また、全体カバー１５の外周部には、保持ゴム１５ａが設けられているので、全体カバー１５を大屋根３に上方から被せるだけで、全体カバー１５の外周部を大屋根３の下面側に容易に回り込んだ状態にすることができる。これにより、全体カバー１５を、大屋根３にしっかりと装着することができる。加えて、図１（ｂ）に示すように、全体カバー１５を大屋根３に装着した場合でも、大屋根後１１の裏面、及び大屋根前１２の上面の右前端部の大部分が、観客席側から見える状態になる。前述したように、大屋根３の表裏面は艶出し加工が施されているため、上記の裏面及び右前端部を、観客席側から通常と同様、艶出し加工された部分が輝いているように見ることができ、グランドピアノ１を観客席側から見る観客に違和感を感じさせることはない。
【００４３】
さらに、大屋根用反射防止具１７の全体シート１８は、大屋根前１２が大屋根後１１上に折り畳まれた状態の大屋根３の上面全体とほぼ同じ形状及びサイズを有しているので、全体シート１８を上記大屋根３の上面全体にぴったりと張り付けることができる。これにより、全体シート１８は、観客席側から全く見えないので、ピアノ本体２の良好な外観を確保することができる。
【００４４】
次に、図５及び図６を参照して、本発明の第２実施形態による大屋根用反射防止具２１について説明する。図５は、大屋根用反射防止具２１が装着された大屋根３を開放した状態のグランドピアノ１を示し、図６は、大屋根用反射防止具２１の平面図である。この大屋根用反射防止具２１は、前述した全体カバー１５や全体シート１８を備えた第１実施形態の大屋根用反射防止具１４、１７と異なり、上記の全体カバー１５を、大屋根後用カバー２２と大屋根前用カバー２３の２つに分割したタイプのものである。
【００４５】
なお、以下の説明では、本実施形態の大屋根用反射防止具２１を、前述した第１実施形態の大屋根用反射防止具１４と区別しやすくするために適宜、前者２１に「分割型」を、後者１４に「全体型」の文言を付するものとする。
【００４６】
図６（ａ）及び（ｂ）はそれぞれ、大屋根用反射防止具２１の反射防止具本体としての大屋根後用カバー２２及び大屋根前用カバー２３を示している。両カバー２２、２３は、所定材料（例えばポリエステル）の布から成り、黒色の色彩を有している。なお、以下の説明では、大屋根後用カバー２２及び大屋根前用カバー２３をそれぞれ適宜、「後カバー２２」及び「前カバー２３」というものとする。
【００４７】
後カバー２２は、大屋根後１１の平面形状とほぼ同じ形状を有し、その上面のほぼ全体を覆うとともに、大屋根後１１の左右及び後側の側方において下面側に若干回り込めるサイズを有している。また、後カバー２２の外周部の所定部位、例えば左右及び後側の外周部には、それらの外周部に沿って連続的に延び、伸縮自在の後用ゴム２２ａ（保持手段、保持部材）が設けられている。これにより、大屋根後１１に装着された後カバー２２は、大屋根３が左下がりに傾斜した姿勢に開放された場合でも、大屋根後１１から脱落することはない。
【００４８】
また、後カバー２２には、大屋根３の前記係止部１３に掛け止めされる掛止め部材２４（保持手段）が設けられている。この掛止め部材２４は、第１実施形態の掛止め部材１６と同様、所定長さを有するひも状のものであり、後カバー２２の外周部の所定位置、すなわち、大屋根後１１の湾曲部１１ｂに対応する部位に取り付けられている。そして、掛止め部材２４は、大屋根後１１の裏面側に回り込み、大屋根後１１の裏面の係止部１３に掛け止めされる。これにより、後カバー２２は、大屋根後１１の湾曲部１１ｂにおいて、図６（ａ）の１点鎖線Ｑで示すように広がるのを防止されるとともに、湾曲部１１ｂにぴったりと沿った状態に装着され、上記の後用ゴム２２ａに加えて掛止め部材２４により、大屋根後１１からの脱落が防止される。
【００４９】
一方、前カバー２３は、大屋根前１２の平面形状とほぼ同じ形状を有し、その大屋根前１２を大屋根後１１上に折り畳んだときの上面全体を覆うとともに、大屋根前１２の左右及び後側の側方において下面側に若干回り込めるサイズを有している。また、前カバー２３の外周部の所定部位、例えば左右及び後側の外周部には、それらの外周部に沿って連続的に延び、伸縮自在の前用ゴム２３ａ（保持手段、保持部材）が設けられている。これにより、大屋根前１２に装着された前カバー２３は、大屋根３が左下がりに傾斜した姿勢に開放された場合でも、大屋根前１２から脱落することはない。
【００５０】
なお、本実施形態では、２つのカバーとしての後カバー２２及び前カバー２３を備えた大屋根用反射防止具２１について説明したが、上記の両カバー２２及び２３に代えて、前述した第１実施形態の全体シート１８を２つに分割し、大屋根後１１及び大屋根前１２にそれぞれ対応する大屋根後用シート及び大屋根前用シートを採用することも可能である。
【００５１】
以上のように、本実施形態の分割型の大屋根用反射防止具２１によれば、大屋根３の大屋根後１１及び大屋根前１２にそれぞれ、後カバー２２及び前カバー２３を装着することにより、前述した第１実施形態の全体型の大屋根用反射防止具１４、１７と同様の効果、すなわち、大屋根３で照明が反射するのを確実に防止でき、それにより、オーケストラの奏者がまぶしく感じることがなく、良好な環境で演奏することができる。また、後カバー２２及び前カバー２３は、大屋根後１１及び大屋根前１２にそれぞれ着脱自在であるので、第１実施形態の全体型の大屋根用反射防止具１４、１７と同様、両カバー２２、２３を、必要に応じて、グランドピアノ１に取り付けたり、取り外したりすることができるとともに、調律師による携帯性も確保することができる。さらに、分割型の大屋根用反射防止具２１の後カバー２２及び前カバー２３は、全体型の大屋根用反射防止具１４の全体カバー１５に比べて、平面形状が単純な構成を有しているため、比較的簡単に作製することが可能である。
【００５２】
次に、図７及び図８を参照して、本発明の第３実施形態による大屋根用反射防止具３０について説明する。図７は、大屋根用反射防止具３０が装着された大屋根３を開放した状態のグランドピアノ１を示し、図８は、大屋根用反射防止具３０の平面図である。この大屋根用反射防止具３０は、大屋根３の大屋根後１１及びその上に折り畳まれた大屋根前１１の上面を覆う反射防止具本体３１と、この反射防止具本体３１に取り付けられ、大屋根３の前記係止部１３に掛け止めされる掛止め部材３４（保持手段）とを備えている。
【００５３】
図８に示すように、反射防止具本体３１は、大屋根後１１の上面を覆う大屋根後用カバー部３２と、大屋根後１１上に折り畳まれた大屋根前１２の上面を覆う大屋根前用カバー部３３とを有しており、両カバー部３２、３３が一体に構成されている。この反射防止具本体３１は、所定材料（例えばポリエステル、フェルト）の布から成り、黒色の色彩を有している。なお、以下の説明では、大屋根後用カバー部３２及び大屋根前用カバー部３３をそれぞれ適宜、「後カバー部３２」及び「前カバー部３３」というものとする。
【００５４】
後カバー部３２は、大屋根後１１の平面形状とほぼ同じ形状を有し、その上面のほぼ全体を覆うように形成されている。また、後カバー部３３の右部の所定位置には、第１及び第２実施形態の掛止め部材１６、２４と同様に構成され、大屋根後１１の裏面の係止部１３に掛け止めされる掛止め部材３４が取り付けられている。
【００５５】
一方、前カバー部３３は、大屋根前１２の平面形状とほぼ同じ、すなわち横長矩形状を有しており、後カバー部３２の右前端部に連なりかつ右方に延びるように形成されている。
【００５６】
図９は、大屋根用反射防止具３０の装着手順を順に示している。なお、同図では、掛止め部材３４を省略している。まず、同図（ａ）に示すように、反射防止具本体３１の後カバー部３２を、大屋根後１１上に重ね合わせるように載置する。次いで、大屋根前１２を、後方に回動させて折り畳み、同図（ｂ）に示すように、後カバー部３２上に載置する。そして、反射防止具本体３１の前カバー部３３を左方に折り畳み、同図（ｃ）に示すように、折り畳まれている大屋根前１２上に載置する。これにより、大屋根３の大屋根後１１及び大屋根前１２の上面がそれぞれ、反射防止具本体３１の後カバー部３２及び前カバー部３３によって覆われる。
【００５７】
上記のように、反射防止具本体３１を大屋根３に装着した状態で、掛止め部材３４を大屋根後１１の下面側に回り込ませ、係止部１３に掛け止めする。そして、大屋根３（大屋根後１１）の右部を持ち上げ、その下面の受皿部１１ａに大屋根突揚棒９の先端部を係合させる。これにより、大屋根３は、左下がりに約４５度傾斜した姿勢で開放される（図７参照）。
【００５８】
以上のように、本実施形態の大屋根用反射防止具３０によれば、前述した第１実施形態の全体型の大屋根用反射防止具１４、１７、及び第２実施形態の分割型の大屋根用反射防止具２１と同様の効果、すなわち、大屋根３で照明が反射するのを確実に防止でき、それにより、オーケストラの奏者がまぶしく感じることがなく、良好な環境で演奏することができる。また、反射防止具本体３１を大屋根３に装着した状態では、後カバー部３２と前カバー部３３の連接部分３６が、大屋根前１２の右端部を上下に回り込んだ状態になる。加えて、後カバー部３２に取り付けられた掛止め部材３４が、大屋根後１１の下面側に回り込み、係止部２５に掛け止めされる。これらにより、反射防止具本体３１が、開放された大屋根３から左方に滑り落ちるのを防止することができる。さらに、反射防止具本体３１は、大屋根３に着脱自在であるので、第１実施形態の全体型の大屋根用反射防止具１４、１７と同様、反射防止具本体３１を、必要に応じて、グランドピアノ１に取り付けたり、取り外したりすることができるとともに、調律師による携帯性も確保することができる。
【００５９】
なお、本発明は、説明した各実施形態に限定されることなく、種々の態様で実施することができる。例えば、第１実施形態の全体カバー１５及び全体シート１８、第２実施形態の後カバー２２及び前カバー２３、並びに第３実施形態の反射防止具本体３１の構成材料として、ポリエステルやフェルトを例示したが、本発明はこれに限定されるものではなく、大屋根３による照明の反射を防止可能なものであれば、種々の材料を採用することが可能である。また、第１実施形態の全体カバー１５には、その外周部に保持ゴム１５ａを設ける一方、第２実施形態の後カバー２２及び前カバー２３には、それらの外周部に後用ゴム２２ａ及び前用ゴム２３ａをそれぞれ設けたが、これらの保持ゴム１５ａ、後用ゴム２２ａ及び前用ゴム２３ａに代えて、第１実施形態の全体シート１８に設けた粘着テープ１８ａを使用してもよい。
【００６０】
また、第２実施形態の分割型の大屋根用反射防止具２１では、後カバー２２及び前カバー２３をそれぞれ、大屋根後１１及び大屋根前１２に装着したが、後カバー２２及び前カバー２３の一方のみを装着するようにしてもよい。
【００６１】
さらに、第３実施形態の反射防止具本体３１において、後カバー部３２及び前カバー部３３をそれぞれ、第１実施形態の粘着テープ１８ａを用いて、大屋根後１１及び大屋根前１２の上面に張り付けることも可能である。この場合には、掛止め部材３４を省略することができる。
【００６２】
さらにまた、第１〜第３実施形態で示した大屋根用反射防止具１４、１７、２１及び３０の細部の構成などは、あくまで例示であり、本発明の趣旨の範囲内で適宜、変更することができる。
【符号の説明】
【００６３】
１    グランドピアノ
２    ピアノ本体
３    大屋根
１１    大屋根後
１２    大屋根前
１３    係止部
１４    大屋根用反射防止具
１５    大屋根全体用カバー（反射防止具本体）
１５ａ  保持ゴム（保持手段、保持部材）
１６    掛止め部材（保持手段）
１７    大屋根用反射防止具
１８    大屋根全体用シート（反射防止具本体）
１８ａ  粘着テープ（保持手段、粘着部材）
２１    大屋根用反射防止具
２２    大屋根後用カバー（反射防止具本体）
２２ａ  後用ゴム（保持手段、保持用ゴム）
２３    大屋根前用カバー（反射防止具本体）
２３ａ  前用ゴム（保持手段、保持用ゴム）
２４    掛止め部材（保持手段）
３０    大屋根用反射防止具
３１    反射防止具本体
３２    大屋根後用カバー部
３３    大屋根前用カバー部
３４    掛止め部材（保持手段）
【図１】
2019211733.tif 000003
【図２】
2019211733.tif 000004
【図３】
2019211733.tif 000005
【図４】
2019211733.tif 000006
【図５】
2019211733.tif 000007
【図６】
2019211733.tif 000008
【図７】
2019211733.tif 000009
【図８】
2019211733.tif 000010
【図９】
2019211733.tif 000011